(57)【要約】【課題】或る家庭で無線によって機器が作動する場合、無線信号の有効半径内に隣り合う他の家庭の機器が誤動作する問題点を解決することができ、同一の通信線路に連結されている多数個のホームネットワークをそれぞれ区別するためのホームネットワーク分離方法を提供する。【解決手段】家庭内にある機器をネットワークで連結し、相互通信の可能なホームネットワークを形成する形成段階と、各機器に独立的なホームコードをセッティングするセッティング段階と、前記形成段階で家庭別に形成された多数の家庭別ホームネットワークを互いに連結する連結段階と、ホームコードが含まれたパケットデータを形成して、機器間の通信を行う通信段階とを含むホームネットワーク分離方法である。【選択図】図４
2004538689.tif 000002
【特許請求の範囲】
【請求項１】
相互通信が可能なように、家庭内にある機器を相互に連結して、ホームネットワークを形成する形成段階と、
前記ホームネットワークに接続された各機器に独立的なホームコードをセッティングするセッティング段階と、
各家庭に形成されたホームネットワークを互いに連結する連結段階と、
独立したホームコードが含まれたパケットデータを生成して、前記独立ホームコードを含むパケットデータを使って機器間の通信を行う通信段階とを含めてなる多数のホームネットワーク分離方法。
【請求項２】
前記セッティング段階は、工場で生産時に予め設定されたホームコードと機器コードとを機器の臨時コードに設定する段階と、
前記設定された臨時コードと、家庭内のホームネットワークに連結された機器のコードとを比較する比較段階と、
設定された臨時コードと同一のコードを有する機器が存在しない場合は、該当機器に設定された臨時コードをその機器自身のコードに設定して、該当機器にセッティングする段階と、
設定された臨時コードと同一のコードを有する機器が存在する場合は、ホームネットワークを制御する機器を介してランダムに任意コードを設定する段階と、
前記設定された任意コードを用いて前記比較段階を繰り返して行う段階とを含めてなる請求項１記載の多数のホームネットワーク分離方法。
【請求項３】
前記セッティング段階では、機器に取り付けられたディップスイッチが、ユーザーにより、規定値に手動調節される請求項１記載の多数のホームネットワーク分離方法。
【請求項４】
前記セッティング段階では、機器の該当コード番号に任意の固有番号を結合する請求項１記載の多数のホームネットワーク分離方法。
【請求項５】
前記固有番号が住民番号である請求項４記載の多数のホームネットワーク分離方法。
【請求項６】
前記パケットデータは、プリアンブル、ホームコード、受信者コード、送信者コード、制御コード、エラーチェック領域を含めてなる請求項１記載の多数のホームネットワーク分離方法。
【発明の詳細な説明】
【技術分野】
【０００１】
本発明はホームネットワーキングシステムに関し、特に、多数のホームネットワーク網が通信線路を共有する時、ホームネットワーク網を互いに分離するための方法に関する。
【背景技術】
【０００２】
ホームネットワーキングシステムとは、家庭内の各種機器、つまり、ＰＣ、携帯電話、冷蔵庫、洗濯機など、多数の周辺機器を一つのネットワークで相互に連結して統制するシステムを云う。
【０００３】
具体的には、ホームネットワークシステムは、ホームネットワーキング網を介して一つのメイン機器により、家庭内にある全ての周辺機器(それらは家庭内の家電機器と交換可能に使用される)を接続し、全体としてそれらを制御するシステムである。現在では、ＩＥＥＥ１３９４、又はＩＥＣ６１８８３の規格に基づくホームネットワークシステムが開発進行中である。
【０００４】
一般に、家庭内の全ての周辺機器を一つのメイン機器で制御するためには、通信バス上に様々な信号を一つに統合して制御するプロトコルが備えられなければならない。また、各機器の動きをユーザーに示し、現在の進行状態がわかるようにしてこそホームネットワーキングの実現が可能となる。
【０００５】
実際には、現在このプロトコルの開発が進行中である。
【０００６】
しかしながら、以上説明した従来技術によるホームネットワークシステムは、各家庭ごとのネットワークが互いに同じ通信線路で連結されているため、隣り合うネットワーク間に同一の機器を保有している場合、相互間に悪影響を及ぼすことがある。
【０００７】
例えば、図１に示すように、隣り合うＡ家庭とＢ家庭とがあり、この際、各家庭は機器、例えば冷蔵庫、洗濯機、エアコンディショナ、電子レンジ、或いは、ＰＣを接続するネットワークを備えており、二つの家庭のネットワークは一つの線路の通信で連結されている。
【発明の開示】
【発明が解決しようとする課題】
【０００８】
したがって、Ａ家庭１００のユーザーが洗濯機を作動させるために、ＰＣを介して洗濯機コード値と、実行コード値とを洗濯機に伝達すると、Ａ家庭１００の洗濯機は実行コード値にしたがって作動する。しかしながら、この際、この実行コード値が、通信バスを伝ってＢ家庭２００に伝達され、Ｂ家庭２００にある洗濯機まで作動させるという問題が生じる。
【０００９】
同様に、Ａ家庭１００で無線によってネットワークに接続する或る機器が作動する場合において、無線信号の有効半径内に隣り合うＢ家庭２００の機器がある場合、これも一緒に作動してしまう。
【００１０】
従って、本発明の目的は、同一の通信線路に連結されている多数個のホームネットワークをそれぞれ区別するためのホームネットワーク分離方法を提供することである。
【課題を解決するための手段】
【００１１】
上記目的を達成するための本発明による多数のホームネットワーク分離方法は、家庭内にある機器をネットワーク網で連結し、相互通信の可能なホームネットワーキングを形成する形成段階と、各機器に独立的なホームコードをセッティングするセッティング段階と、前記形成段階で家庭別に形成された多数の家庭別ホームネットワークを互いに連結する連結段階と、ホームコードが含まれたパケットデータを形成して、機器間の通信を行う通信段階とを含めてなる。
【００１２】
この際、前記セッティング段階は、工場で生産時に設定されたホームコードと機器コードを、機器の臨時コードに設定する段階と、設定された臨時コードと家庭内のホームネットワークで連結された機器のコードとを比較する比較段階と、その比較結果、臨時設定コードと同一のコードを有する機器が存在しないと判断されると、該当機器に設定された臨時コードを自身のコードに設定して、該当機器にセッティングする段階と、前記判断結果、臨時設定コードと同一のコードを有する機器が存在する場合、ホームネットワークを制御する機器を介して勝手に任意コードを設定する段階と、設定された任意コードを用いて前記比較段階を繰り返して行う段階とを更に含むことが好ましい。
【００１３】
この際、前記セッティング段階では、機器に構成されたディップスイッチを、定義された値にユーザーが受動調節することが好ましい。
【００１４】
また、前記セッティング段階は、機器の該当コード番号に任意の固有番号を結合する。
【発明の効果】
【００１５】
このように各機器に独立的なホームコードをセッティングすることで、多世帯が一つの伝送線路を同時に共有することができ、その結果として、家庭にゲートウェイが与えられ、通信速度が速ければ、ある一区域全体を管理することができるようになり、ひいては、一国家全体の管理も可能となる。
【発明を実施するための最良の形態】
【００１６】
以下、本発明の好ましい実施形態を添付の図面に基づいて説明する。
【００１７】
図１は本発明による多数のホームネットワーキング構成を示す図面、図２は本発明による各機器別の詳細構成を示す図面である。
【００１８】
図１に示すように、家庭内の家電機器は、有線／無線の通信バスを介してネットワークを構成して相互に連結されている。どの家庭もネットワークの一つを備えている。
【００１９】
また、全機器は通信バスにより、相互間の通信が可能となるように連結され、前記通信バスは、電力線や無線のように隣家と共有されている。
【００２０】
この時、通信バスの通信規格としては、一般的にＲＳ−２３２Ｃが使用される。
【００２１】
ホームネットワークを形成しているそれぞれの機器は、図２に示すように、外部の他の機器と通信バスで連結されている通信ポート１０と、この通信ポート１０を介して送受信される信号を、通信バスに合う信号に変換する通信回路２０と、通信に必要なパケットデータ情報を保存しているメモリ４０と、該当機器にホームコードをセッティングするために、ホームコード用プログラムが内蔵された機器と１：１で連結するシリアル通信ポート５０と、前述の通信ポート１０、通信回路２０、メモリ４０、及びシリアル通信ポート５０を制御するマイコン３０とで構成されている。
【００２２】
ここで、メモリ４０は、ＥＥＰＲＯＭやフラッシュメモリのような不活性メモリで、データ保存後に修正が可能である。
【００２３】
そして、メモリ４０に保存されるパケットデータの構造は、図３に示すように、プリアンブル、ホームコード、受信者コード、送信者コード、制御コード、及びエラーチェック領域を含めて構成される。
【００２４】
このように構成された本発明による多数のホームネットワーク分離方法を、添付の図面に基づいて詳細に説明する。
【００２５】
図４は本発明による多数のホームネットワーク分離方法を示す流れ図である。
【００２６】
図４を見ると、まず、家庭内の全ての家電機器を有線／無線の通信バスを介して連結し、全製品が同一の通信規格で通信可能となるようにネットワークを構成する。この際、ユーザは、機器を最初にネットワークに連結する時、ホームネットワーク制御機器に連結した機器の製品名、製品個数、設置場所、及びユーザーＩＤを入力する必要がある。
【００２７】
すると、ホームネットワーク制御機器は、入力された機器、つまり、ネットワークに最初に連結された機器に登録を要請し、ネットワーク連結が完了すると、機器に番地を割り当てる。この時、同種の製品が複数個連結される場合にも、番地が衝突しないように新たな番地を指定する（Ｓ１０）。
【００２８】
そして、後で機器を追加する時には、上記過程を繰り返し、機器には新たな番地を与えてホームネットワークに連結する（Ｓ２０）。
【００２９】
次いで、ホームネットワークに連結された各機器には独立的なホームコード値をセッティングする（Ｓ３０）。
【００３０】
そして、各家庭別に構成されたホームネットワークを、電力線や無線のように隣家と共有して連結する（Ｓ４０）。
【００３１】
この際、ホームネットワークが各家庭で共有されていても、各家庭ごとに独立的なホームコード値がセッティングされているので、或る家庭の或る機器が他の家庭にある同一種の機器に悪影響を与えることを防止できる。
【００３２】
具体的には、機器間の通信時において、指定された番地を用いて、図３のようなパケットデータを生成して送受信する場合、隣家にも同一種の機器が存在すると、パケットデータが通信線路を伝って伝達される。しかしながら、パケットデータには各家庭を区別するホームコード値が含まれているので、隣家に伝達されたパケットデータは機器に認識されず、隣家の同じ機器は動作しない。これによって家庭別にデータの区分が可能となる（Ｓ５０）。
【００３３】
ここで、各機器にホームコード値をセッティングする方法として、次の３つのものが考えられる。
【００３４】
第一の方法は、各機器にあるシリアル通信ポートを用いるものである。即ち、プログラムが内蔵された機器と、セッティングする機器とを１：１でシリアル通信ケーブを用いて連結し、該当機器にホームコードをセッティングする制御データを送信する方法である。
【００３５】
この際、各家庭のネットワークには、ホームコード値を設定、管理するプログラムが内蔵された機器があり、このプログラムを通じて、家庭内の各機器に取り付けられたシリアル通信ケーブルを用いてホームコード値を与える。
【００３６】
換言すると、全ての機器には、工場での生産時にホームコードと、機器コード（送信者コードで使用）の或る初期値を最初から持たせる。これによって、ホームネットワークを最初に構成する時、ホームネットワークに連結した全ての機器をチェックし、同一のコードが既に或る機器に使用されているかどうかを判断する。
【００３７】
この判断の結果、最初から設定されている臨時のコードと同一のコードを有する機器が存在しないと判断されると、該当機器に設定された臨時コードをその機器自身のコードに設定する。
【００３８】
しかしながら、この判断の結果、臨時に設定したコードと同一のコードを有する機器が存在すると、ホームネットワーク制御機器を介して任意のコードを一時的に設定し、重複するコードが存在しなくなるまで上記の過程を繰り返す。
【００３９】
このような方法によってホームコード値を新たに連結された機器にセッティングする。
【００４０】
第二の方法では、全ての機器にはホームコード値を手動でセッティング可能な多数のスイッチがあるので、ユーザーが手動でスイッチの位置を調整する。
【００４１】
即ち、図５に示すように、工場で生産時に各機器に取り付けられたディップスイッチをユーザーが手動調節することで、該当ホームコード値を新たに連結された機器にセッティングする。
【００４２】
第三の方法は、機器の該当番号の前に任意の番号を結合する方法である。
【００４３】
換言すると、家庭内のホームネットワークがＰＬＣやブルートゥース、或いはＷＡＰ（Wireless Application Protocol）のような無線周波数を使用する時、各家庭は世帯主の住民番号を機器番号の前に結合させることにより、固有の番号を持つことができる。このことは、多世帯住居空間では各家庭に全く同種のモデルがあり得るという仮定に基づく。この方法は、他の家庭との通信上の干渉をなくすのに非常に効果的である。
【００４４】
また、クライアントである各家庭の機器は、通信プロトコルの伝送時に、最上位ビットにこの機器ＩＤを挿入することで、自分の機器ＩＤと、通信に現れるプロトコルの上位ＩＤビットとを比較し、自分のプロトコルを識別することができる。
【産業上の利用可能性】
【００４５】
以上説明した本発明による多数のホームネットワーク分離方法によれば、以下のような利点がある。
【００４６】
第一に、多数個のネットワークが同一の通信線路を共有する場合でも、別途のハードウェア的なフィルターを使用せずに各ネットワークを区別可能である。
【００４７】
第二に、家庭別にネットワークを区別することができるので、イーサネットカードのような全世界的に固有のシリアルナンバーを全ての製品に与えずとも、家庭内の全製品を容易に区別することができる。
【図面の簡単な説明】
【００４８】
【図１】本発明による多数のホームネットワーキング構成を示す図面である。
【図２】本発明による各機器別の詳細構成を示す図面である。
【図３】本発明によるパケットデータの構造を示す図面である。
【図４】本発明による多数のホームネットワーク分離方法を示す流れ図である。
【図５】本発明による各機器にホームコードをセッティングするための実施例を示す図面である。
【図１】
2004538689.tif 000003
【図２】
2004538689.tif 000004
【図３】
2004538689.tif 000005
【図４】
2004538689.tif 000006
【国際公開パンフレット】
2004538689.tif 000007
2004538689.tif 000008
2004538689.tif 000009
2004538689.tif 000010
2004538689.tif 000011
2004538689.tif 000012
2004538689.tif 000013
2004538689.tif 000014
2004538689.tif 000015
2004538689.tif 000016
2004538689.tif 000017
2004538689.tif 000018
2004538689.tif 000019
2004538689.tif 000020
【国際調査報告】
2004538689.tif 000021
2004538689.tif 000022